(57)【要約】【課題】表示データを送信する通信速度を向上させる。【解決手段】本発明に係る表示装置は、隣接する複数の表示領域のそれぞれに対応して配列され、１つの表示データが複数の表示領域ごとに分割されることにより生成された複数の分割データをそれぞれ表示する複数の表示ユニットを有する表示部と、複数の表示領域に対応してそれぞれ設けられ、複数の表示領域にそれぞれ表示されるべき分割データをそれぞれ受信する複数の通信部と、複数の通信部がそれぞれ受信した分割データを複数の表示領域にそれぞれ表示させる表示制御部と、複数の表示ユニットに電力を供給する、複数の表示ユニットに共通の給電部とを備える。【選択図】図２
2007304292.tif 000002
【特許請求の範囲】
【請求項１】
隣接する複数の表示領域のそれぞれに対応して配列され、１つの表示データが前記複数の表示領域ごとに分割されることにより生成された複数の分割データをそれぞれ表示する複数の表示ユニットを有する表示部と、
前記複数の表示領域に対応してそれぞれ設けられ、前記複数の表示領域にそれぞれ表示されるべき分割データをそれぞれ受信する複数の通信部と、
前記複数の通信部がそれぞれ受信した分割データを前記複数の表示領域にそれぞれ表示させる表示制御部と、
前記複数の表示ユニットに電力を供給する、前記複数の表示ユニットに共通の給電部と
を備える表示装置。
【請求項２】
前記表示ユニットは、電力が供給されていない状態で分割データを視認可能に表示保持する電子ペーパである
請求項１に記載の表示装置。
【請求項３】
前記複数の表示ユニットがそれぞれ表示する複数の分割データのそれぞれを、前記複数の通信部のうちのいずれの前記通信部に受信させるかを決定する受信制御部
をさらに備える請求項１に記載の表示装置。
【請求項４】
前記受信制御部は、前記複数の通信部のうちの第一の通信部に、前記複数の表示領域のうちの第一の表示領域に表示されるべき第一の分割データを受信させ、前記複数の通信部のうちの第二の通信部に、前記複数の表示領域のうちの第二の表示領域に表示されるべき第二の分割データを受信させ、
前記表示制御部は、前記複数の表示ユニットのうちの第一の表示ユニットに、前記第一の分割データを前記第一の表示領域に表示させ、前記複数の表示ユニットのうちの第二の表示ユニットに、前記第二の分割データを前記第二の表示領域に表示させ、
前記第一の通信部が前記第一の分割データを受信できない場合、
前記受信制御部は、前記第二の通信部に、前記複数の表示領域のうちの第二の表示領域に表示されるべき第二の分割データを受信させるとともに、前記第一の分割データの少なくとも一部を受信させ、
前記表示制御部は、前記第二の表示ユニットに、前記第二の分割データを前記第二の表示領域に表示させるとともに、前記第一の表示ユニットに、前記第一の分割データの少なくとも一部を前記第一の表示領域に表示させる
請求項３に記載の表示装置。
【請求項５】
表示装置および情報処理装置を備える表示システムであって、
前記表示装置は、
隣接する複数の表示領域のそれぞれに対応して配列され、１つの表示データが前記複数の表示領域ごとに分割されることにより生成された複数の分割データをそれぞれ表示する複数の表示ユニットを有する表示部と、
前記複数の表示領域に対応してそれぞれ設けられ、前記情報処理装置から、前記複数の表示領域にそれぞれ表示されるべき分割データをそれぞれ受信する複数の通信部と、
前記複数の通信部が前記情報処理装置からそれぞれ受信した分割データを前記複数の表示領域にそれぞれ表示させる表示制御部と、
前記複数の表示ユニットに電力を供給する、前記複数の表示ユニットに共通の給電部と
を有する表示システム。
【請求項６】
前記情報処理装置は、
１つの前記表示データを分割することにより、前記複数の表示領域がそれぞれ表示する複数の分割データを生成する分割データ生成部と、
前記分割データ生成部が生成した複数の分割データのそれぞれを、前記複数の表示領域のそれぞれに対応して設けられている前記複数の通信部のそれぞれに送信するデータ送信部と
を有する請求項５に記載の表示システム。
【請求項７】
前記データ送信部は、前記複数の通信部のうち第一の通信部に、前記複数の表示領域のうちの第一の表示領域に表示されるべき第一の分割データを送信し、前記複数の通信部のうちの第二の通信部に、前記複数の表示領域のうちの第二の表示領域に表示されるべき第二の分割データを送信し、
前記表示制御部は、前記複数の表示ユニットのうちの第一の表示ユニットに、前記第一の通信部が受信した前記第一の分割データを前記第一の表示領域に表示させ、前記複数の表示ユニットのうちの第二の表示ユニットに、前記第二の通信部が受信した前記第二の分割データを前記第二の表示領域に表示させ、
前記第一の分割データのデータ量が前記第二の分割データのデータ量より予め定められたデータ量以上大きい場合、
前記データ送信部は、前記第二の通信部に、前記第二の表示領域に表示されるべき前記第二の分割データを送信するとともに、前記第一の分割データの少なくとも一部を送信し、前記第一の通信部に、前記第一の分割データのうち、前記第二の通信部に送信した前記第一の分割データの少なくとも一部以外の部分を送信し、
前記表示制御部は、前記第二の表示ユニットに、前記第二の通信部が受信した前記第二の分割データを前記第二の表示領域に表示させるとともに、前記第一の表示ユニットに、前記第二の通信部が受信した前記第一の分割データの少なくとも一部、および前記第一の通信部が受信した前記第一の分割データの少なくとも一部以外の部分を前記第一の表示領域に表示させる
請求項６に記載の表示システム。
【請求項８】
前記第一の分割データのデータ量が前記第二の分割データのデータ量より予め定められたデータ量以上大きい場合に、前記第一の通信部に送信するデータ量と、前記第二の通信部に送信するデータ量とを略同一にすべく、前記第一の分割データを、前記第一の通信部に送信する第一の部分分割データと第二の部分分割データとに分配する分割データ分配部
をさらに備え、
前記データ送信部は、前記第一の通信部に、前記第一の部分分割データを送信し、前記第二の通信部に、前記第一の分割データおよび前記第二の部分分割データを送信する
請求項７に記載の表示システム。
【請求項９】
隣接する複数の表示領域のそれぞれに対応して配列され、１つの表示データが前記複数の表示領域ごとに分割されることにより生成された複数の分割データをそれぞれ表示する複数の表示ユニットに共通の給電部から電力を供給する給電段階と、
前記複数の表示領域に対応してそれぞれ設けられた複数の通信部が、前記複数の表示領域にそれぞれ表示されるべき前記複数の分割データをそれぞれ受信する通信段階と、
前記複数の表示ユニットが、前記複数の通信部がそれぞれ受信した複数の分割データを前記複数の表示領域にそれぞれ表示する表示制御段階と
を備える表示方法。
【発明の詳細な説明】
【技術分野】
【０００１】
本発明は、表示装置、表示システム、および表示方法に関する。特に、本発明は、複数の表示ユニットを有する表示装置、表示システム、および表示方法に関する。
【背景技術】
【０００２】
電子ペーパを識別する媒体ＩＤを格納するタグを備える電子ペーパと、電子ペーパにコンテンツを配信する配信管理装置とを備えるコンテンツ配信システムが提案されている（例えば、特許文献１参照。）。具体的には、配信管理装置は、複数の電子ペーパのタグに格納されている媒体ＩＤを読み取って、複数の電子ペーパに配信するコンテンツを電子ペーパごとに決定する。そして、配信管理装置は、決定したコンテンツを各電子ペーパに送信して、各電子ペーパはそれぞれ受信したコンテンツを表示する。
【０００３】
また、実空間における無線波の伝搬環境をユーザに対して直感的に認識させる信号品質情報表示方法が提案されている（例えば、特許文献２参照。）。具体的には、複数のアンテナ素子のそれぞれを介して無線波を受信する。そして、受信した無線波についての信号品質情報を生成する。続いて、複数のアンテナ素子それぞれについての信号品質情報および複数のアンテナ素子それぞれについての配置位置情報に基づいて、信号品質情報を複数のアンテナ素子が配置された実空間に対応した位置に表示する。
【特許文献１】特開２００６−４１８０１号公報
【特許文献２】特開２００５−５８０３号公報
【発明の開示】
【発明が解決しようとする課題】
【０００４】
しかしながら、特許文献１に記載の発明においては、配信管理装置はコンテンツを電子ペーパにそのまま配信する。したがって、コンテンツのデータ量が大きい場合には、コンテンツを電子ペーパに送信するのに多大な時間を要するので、電子ペーパに表示されるコンテンツをすばやく更新したいというユーザの要求を満たさない場合がある。また、特許文献２に記載の発明においては、複数のアンテナ素子それぞれの信号品質をユーザに認識させるだけで、所定のデータを、複数のアンテナ素子のそれぞれを介して受信することはできない。
【０００５】
そこで本発明は、上記課題を解決することができる表示装置、表示システム、および表示方法を提供することを目的とする。この目的は特許請求の範囲における独立項に記載の特徴の組み合わせにより達成される。また従属項は本発明の更なる有利な具体例を規定する。
【課題を解決するための手段】
【０００６】
上記課題を解決するために、本発明の第１の形態においては、表示装置であって、隣接する複数の表示領域のそれぞれに対応して配列され、１つの表示データが複数の表示領域ごとに分割されることにより生成された複数の分割データをそれぞれ表示する複数の表示ユニットを有する表示部と、複数の表示領域に対応してそれぞれ設けられ、複数の表示領域にそれぞれ表示されるべき分割データをそれぞれ受信する複数の通信部と、複数の通信部がそれぞれ受信した分割データを複数の表示領域にそれぞれ表示させる表示制御部と、複数の表示ユニットに電力を供給する、複数の表示ユニットに共通の給電部とを備える。
【０００７】
また、表示ユニットは、電力が供給されていない状態で分割データを視認可能に表示保持する電子ペーパであってよい。また、複数の表示ユニットがそれぞれ表示する複数の分割データのそれぞれを、複数の通信部のうちのいずれの通信部に受信させるかを決定する受信制御部をさらに備えてもよい。そして、受信制御部は、複数の通信部のうちの第一の通信部に、複数の表示領域のうちの第一の表示領域に表示されるべき第一の分割データを受信させ、複数の通信部のうちの第二の通信部に、複数の表示領域のうちの第二の表示領域に表示されるべき第二の分割データを受信させ、表示制御部は、複数の表示ユニットのうちの第一の表示ユニットに、第一の分割データを第一の表示領域に表示させ、複数の表示ユニットのうちの第二の表示ユニットに、第二の分割データを第二の表示領域に表示させ、第一の通信部が第一の分割データを受信できない場合、受信制御部は、第二の通信部に、複数の表示領域のうちの第二の表示領域に表示されるべき第二の分割データを受信させるとともに、第一の分割データの少なくとも一部を受信させ、表示制御部は、第二の表示ユニットに、第二の分割データを第二の表示領域に表示させるとともに、第一の表示ユニットに、第一の分割データの少なくとも一部を第一の表示領域に表示させてもよい。
【０００８】
また、本発明の第２の形態においては、表示装置および情報処理装置を備える表示システムであって、表示装置は、隣接する複数の表示領域のそれぞれに対応して配列され、１つの表示データが複数の表示領域ごとに分割されることにより生成された複数の分割データをそれぞれ表示する複数の表示ユニットを有する表示部と、複数の表示領域に対応してそれぞれ設けられ、情報処理装置から、複数の表示領域にそれぞれ表示されるべき分割データをそれぞれ受信する複数の通信部と、複数の通信部が情報処理装置からそれぞれ受信した分割データを複数の表示領域にそれぞれ表示させる表示制御部と、複数の表示ユニットに電力を供給する、複数の表示ユニットに共通の給電部とを有する。そして、情報処理装置は、１つの表示データを分割することにより、複数の表示領域がそれぞれ表示する複数の分割データを生成する分割データ生成部と、分割データ生成部が生成した複数の分割データのそれぞれを、複数の表示領域のそれぞれに対応して設けられている複数の通信部のそれぞれに送信するデータ送信部とを有してもよい。
【０００９】
また、データ送信部は、複数の通信部のうち第一の通信部に、複数の表示領域のうちの第一の表示領域に表示されるべき第一の分割データを送信し、複数の通信部のうちの第二の通信部に、複数の表示領域のうちの第二の表示領域に表示されるべき第二の分割データを送信し、表示制御部は、複数の表示ユニットのうちの第一の表示ユニットに、第一の通信部が受信した第一の分割データを第一の表示領域に表示させ、複数の表示ユニットのうちの第二の表示ユニットに、第二の通信部が受信した第二の分割データを第二の表示領域に表示させ、第一の分割データのデータ量が第二の分割データのデータ量より予め定められたデータ量以上大きい場合、データ送信部は、第二の通信部に、第二の表示領域に表示されるべき第二の分割データを送信するとともに、第一の分割データの少なくとも一部を送信し、第一の通信部に、第一の分割データのうち、第二の通信部に送信した第一の分割データの少なくとも一部以外の部分を送信し、表示制御部は、第二の表示ユニットに、第二の通信部が受信した第二の分割データを第二の表示領域に表示させるとともに、第一の表示ユニットに、第二の通信部が受信した第一の分割データの少なくとも一部、および第一の通信部が受信した第一の分割データの少なくとも一部以外の部分を第一の表示領域に表示させてもよい。
【００１０】
また、第一の分割データのデータ量が第二の分割データのデータ量より予め定められたデータ量以上大きい場合に、第一の通信部に送信するデータ量と、第二の通信部に送信するデータ量とを略同一にすべく、第一の分割データを、第一の通信部に送信する第一の部分分割データと第二の部分分割データとに分配する分割データ分配部をさらに備え、データ送信部は、第一の通信部に、第一の部分分割データを送信し、第二の通信部に、第一の分割データおよび第二の部分分割データを送信してもよい。
【００１１】
また、本発明の第３の形態においては、表示方法であって、隣接する複数の表示領域のそれぞれに対応して配列され、１つの表示データが複数の表示領域ごとに分割されることにより生成された複数の分割データをそれぞれ表示する複数の表示ユニットに共通の給電部から電力を供給する給電段階と、複数の表示領域に対応してそれぞれ設けられた複数の通信部が、複数の表示領域にそれぞれ表示されるべき複数の分割データをそれぞれ受信する通信段階と、複数の表示ユニットが、複数の通信部がそれぞれ受信した複数の分割データを複数の表示領域にそれぞれ表示する表示制御段階とを備える。
【００１２】
なお、上記の発明の概要は、本発明の必要な特徴の全てを列挙したものではなく、これらの特徴群のサブコンビネーションもまた、発明となりうる。
【発明の効果】
【００１３】
本発明によれば、１つの表示データを１つの表示装置が含む複数の表示ユニットごとに分割することにより複数の分割データを生成して、生成した複数の分割データを複数の表示ユニットのそれぞれに送信するので、表示装置に１つの表示データを送信するときに比べて、表示データを送信する通信速度を向上させることができる。
【発明を実施するための最良の形態】
【００１４】
以下、発明の実施の形態を通じて本発明を説明するが、以下の実施形態は特許請求の範囲にかかる発明を限定するものではなく、また実施形態の中で説明されている特徴の組み合わせの全てが発明の解決手段に必須であるとは限らない。
【００１５】
図１は、本発明の一実施形態に係る表示システム１０の概要を示す。表示システム１０は、表示装置２０、情報処理装置３０、および給電装置４０を備える。なお、表示装置２０は少なくとも一つあればよい。そして、表示装置２０は、複数の表示ユニット２０２を含む。また、情報処理装置３０は、表示データを表示するモニタ３０２、並びに表示データの内容を変更するときに表示データの変更内容を入力するキーボード３７６およびマウス３７８を有する。なお、１つの表示データが表示装置２０に表示される場合には、表示装置２０が含む複数の表示ユニット２０２のそれぞれが、１つの表示データの部分領域をそれぞれ表示する。
【００１６】
本実施形態に係る表示システム１０は、情報処理装置３０において１つの表示データを表示装置２０の複数の表示ユニット２０２に対応する部分ごとに分割することにより、複数の分割データを生成する。続いて、情報処理装置３０が生成した複数の分割データを、情報処理装置３０は、表示装置２０が有する複数の表示ユニット２０２のそれぞれに送信する。そして、複数の表示ユニット２０２のそれぞれは、情報処理装置３０から受信した分割データを表示する。これにより、表示装置２０に表示データを送信して表示させるときの通信速度を向上させることを目的とする。
【００１７】
例えば、表示データを表示する複数の表示装置２０は本棚５２に収納されている。ユーザは、所望の表示装置２０を本棚５２から取り出して、机５０の上に設置された給電装置４０の上に配置する。給電装置４０は、所定の範囲に磁界を発生して表示装置２０に電力を給電する。ここで、表示装置２０は、複数の表示ユニット２０２を含んでいる。また、複数の表示ユニット２０２のそれぞれは、情報処理装置３０と所定の情報の送受信をする第１通信部２２０を含んでいる。さらに、表示装置２０は、複数の表示ユニット２０２に共通の給電部２４０を含んでいる。
【００１８】
具体的には、給電装置４０から給電部２４０に電力が給電されると、給電部２４０は、複数の表示ユニット２０２および複数の第１通信部２２０のそれぞれに電力を供給する。複数の第１通信部２２０はそれぞれ、給電装置４０から給電された電力を用いて複数の表示ユニット２０２のそれぞれを識別する表示ユニット識別子を、情報処理装置３０に送信する。そして、情報処理装置３０は、複数の表示ユニット２０２のそれぞれからアンテナ３２２を介して、複数の表示ユニット識別子を受信する。情報処理装置３０は、表示装置２０に表示すべき１つの表示データを、表示ユニット２０２の表示領域ごとに分割して、複数の分割データを生成する。
【００１９】
続いて、情報処理装置３０は、１つの表示データから生成した複数の分割データを、表示ユニット識別子に対応づけて複数の第１通信部２２０にそれぞれ送信する。複数の第１通信部２２０は、情報処理装置３０から複数の表示ユニット２０２のそれぞれが表示すべき分割データをそれぞれ受信する。そして、表示装置２０は、複数の第１通信部２２０のそれぞれが受信した分割データを、分割データに対応づけられた表示ユニット識別子で識別される表示ユニット２０２に表示する。
【００２０】
本実施形態に係る表示システム１０は、１つの表示データを複数の表示領域ごとに分割して生成した複数の分割データを、複数の表示ユニット２０２のそれぞれに対して送信するので、１つの表示データを分割せずに表示装置２０に送信して表示装置２０に表示させる場合に比べて、通信速度が向上する。
【００２１】
また、表示装置２０が含む複数の表示ユニット２０２のうち、少なくとも１つの第１通信部２２０は、表示装置２０が表示すべき表示データを識別する表示データ識別子を情報処理装置３０に送信してよい。そして、情報処理装置３０は、表示装置２０から受け取った表示データ識別子で識別される表示データを取得して、取得した表示データを、ユーザが表示データの内容を編集可能となる状態で開いてよい。例えば、情報処理装置３０は、表示データの内容の変更ができるアプリケーション（例えば、ワープロソフト、表計算ソフト、または画像処理ソフト等）で表示データを開くことによって、表示データの内容を編集可能としてよい。そして、情報処理装置３０は、開いた表示データを、例えばモニタ３０２に表示する。ユーザは、キーボード３７６およびマウス３７８を介して、編集内容を入力する。情報処理装置３０は、ユーザが入力した編集内容を、表示データに反映させる。
【００２２】
そして、情報処理装置３０は、ユーザが編集した後の表示データを、表示装置２０の複数の表示ユニット２０２の表示領域ごとに分割して複数の分割データを生成する。情報処理装置３０は、生成した複数の分割データを、複数の表示ユニット２０２のそれぞれに送信する。情報処理装置３０から分割データを受信した複数の表示ユニット２０２は、それぞれが受信した分割データを表示する。なお、この場合において、情報処理装置３０は、表示データを分割して生成した複数の分割データのうち、ユーザが編集した部分に対応する分割データだけを、当該分割データが表示されるべき表示ユニット２０２だけに送信してもよい。これにより、情報処理装置３０は、ユーザが編集した部分の分割データだけを表示装置２０に送信して表示装置２０の表示を更新できるので、表示装置２０に表示すべき編集後の表示データを分割して生成した複数の分割データの全てを表示装置２０に送信する場合に比べて、通信トラフィックを軽減することができる。
【００２３】
図２は、本実施形態に係る表示装置２０および給電装置４０の機能構成の一例を示す。表示装置２０は、第１表示部２００、複数の第１表示制御部２１０、複数の第１通信部２２０、複数の格納ユニット２３０、給電部２４０、受信制御部２５０、およびバス２６０を有する。また、第１表示部２００は、複数の表示ユニット２０２を含む。また、給電装置４０は、電力供給部４００および電力供給制御部４１０を有する。
【００２４】
まず、給電装置４０の機能構成について説明する。給電装置４０は、予め定められた範囲に磁界を発生して、表示装置２０に電力を供給する。具体的には、給電装置４０が有する電力供給部４００が、予め定められた範囲に磁界を発生する。そして、電力供給部４００は、表示装置２０が有する給電部２４０と直接接続しない状態で電力を給電する。また、電力供給制御部４１０は、電力供給部４００の給電部２４０への電力の給電を制御する。例えば、電力供給制御部４１０は、電力供給部４００の給電部２４０への電力の給電量を、磁界の状態を変化させることにより制御する。
【００２５】
また、電力供給制御部４１０は、電力供給部４００が発生する磁界の状態を監視してよい。電力供給部４００の位置から予め定められた範囲内に給電部２４０が存在すると、電力供給部４００が発生する磁界の状態が変化する。したがって、電力供給制御部４１０は、電力供給部４００が発生する磁界の状態が変化したことを検知したときに、電力供給部４００の位置から予め定められた範囲内に給電部２４０が存在すると判断できる。そして、電力供給制御部４１０は、電力供給部４００が発生する磁界の状態が変化したことを検知したときに、表示装置２０が含む給電部２４０に、表示装置２０が表示データを表示するときに要する電力、および表示装置２０から情報処理装置３０に所定の情報を送信するときに要する電力を給電してよい。
【００２６】
続いて、表示装置２０の機能構成について説明する。表示装置２０は、文書ファイルおよび画像ファイル等の表示データを表示する。なお、表示装置２０が表示する表示データは、外部の情報処理装置３０で編集される表示データであってよい。また、表示装置２０は、複数の第１表示制御部２１０、複数の第１通信部２２０、および複数の格納ユニット２３０を、複数の表示ユニット２０２のそれぞれに対応づけて含んでいる。すなわち、表示装置２０は、表示ユニット２０２、第１表示制御部２１０、第１通信部２２０、および格納ユニット２３０を一つの構成ユニットとして、当該構成ユニットを複数含んでいてよい。
【００２７】
第１表示部２００は複数の表示ユニット２０２を含む。複数の表示ユニット２０２は、隣接する複数の表示領域のそれぞれに対応して配列されている。そして、複数の表示ユニット２０２は、１つの表示データが複数の表示領域ごとに分割されることにより生成された複数の分割データをそれぞれ表示する。なお、表示ユニット２０２は、電力が供給されていない状態で分割データを視認可能に表示保持する電子ペーパであってよい。さらに、表示ユニット２０２は、例えば、フレキシブルディスプレイ、リライタブルペーパ、ペーパライクディスプレイ、デジタルペーパ、エレクトロニックペーパ、電子シート、および電子表示シートのいずれかであってもよい。また、第１表示部２００は、請求項に記載の表示部の一例である。
【００２８】
給電部２４０は、給電装置４０が有する電力供給部４００が発生した磁界から電力を受電する。給電部２４０は、受電した電力を複数の表示ユニット２０２を含む第１表示部２００、第１表示制御部２１０、第１通信部２２０、および受信制御部２５０に供給する。すなわち、第１表示部２００、第１表示制御部２１０、第１通信部２２０、および受信制御部２５０は、共通の給電部２４０から電力の供給を受ける。なお、給電部２４０は、アンテナコイルを含んでいてよい。給電部２４０がアンテナコイルを含んでいる場合には、給電部２４０は、非接触的に電力を受電できる。また、給電部２４０は、バッテリを備えていてもよい。給電部２４０がバッテリを備えている場合には、給電部２４０は給電装置４０から電力の供給を受けない場合においても、電力を第１表示部２００、第１表示制御部２１０、第１通信部２２０、および受信制御部２５０に供給できる。
【００２９】
複数の格納ユニット２３０は、表示データを識別する表示データ識別子を格納する。また、複数の格納ユニット２３０は、表示ユニット２０２を識別する表示ユニット識別子をそれぞれ格納する。具体的には、複数の格納ユニット２３０は、複数の格納ユニット２３０のそれぞれに対応づけられている表示ユニット２０２を識別する表示ユニット識別子をそれぞれ格納する。また、複数の格納ユニット２３０は、表示装置２０を識別する表示装置識別子を格納してもよい。なお、表示データ識別子は、例えば、表示データを含むファイルのファイル名であってよい。さらに、表示データ識別子は、表示データの所在を示すＵＲＬ等の情報を含んでいてもよい。複数の格納ユニット２３０は、表示ユニット識別子で識別される表示ユニット２０２に対応づけられている第１通信部２２０の制御に基づいて、当該第１通信部２２０に表示データ識別子および表示ユニット識別子をそれぞれ供給する。
【００３０】
複数の第１通信部２２０は、複数の表示領域に対応してそれぞれ設けられている。具体的には、複数の第１通信部２２０は、複数の表示ユニット２０２に対応してそれぞれ設けられている。そして、複数の第１通信部２２０は、情報処理装置３０から、複数の表示領域にそれぞれ表示されるべき分割データをそれぞれ受信する。また、複数の第１通信部２２０はそれぞれ、格納ユニット２３０に働きかけて取得した表示ユニット識別子および表示データ識別子を、情報処理装置３０に送信する。具体的には、一の表示ユニット２０２に対応して設けられている一の第１通信部２２０は、当該一の表示ユニット２０２を識別する表示ユニット識別子および表示装置２０に表示されるべき表示データを識別する表示データ識別子を、情報処理装置３０に送信する。そして、複数の第１通信部２２０のそれぞれが、同様にして表示ユニット識別子を情報処理装置３０に送信する。なお、表示データ識別子は、複数の第１通信部２２０のいずれか１つが情報処理装置３０に送信してもよい。
【００３１】
複数の第１通信部２２０はそれぞれ、情報処理装置３０から受信した分割データを第１表示制御部２１０に供給する。具体的には、情報処理装置３０が一の表示ユニット２０２を識別する一の表示ユニット識別子に対応づけて送信した分割データを、一の表示ユニット２０２に対応づけて設けられている第１通信部２２０が受信する。そして、第１通信部２２０は、受信した分割データを、一の表示ユニット識別子で識別される一の表示ユニット２０２に対応づけて設けられている第１表示制御部２１０に供給する。また、複数の第１通信部２２０は、情報処理装置３０から分割データを受信した場合には、分割データを受信した旨を示す情報を、表示ユニット識別子に対応づけて受信制御部２５０にそれぞれ供給する。さらに、複数の第１通信部２２０は、所定の時間内に情報処理装置３０から分割データを受信しない場合には、分割データを受信できない旨を示す情報を、表示ユニット識別子に対応づけて受信制御部２５０に供給する。なお、第１通信部２２０は、請求項に記載の通信部の一例である。
【００３２】
受信制御部２５０は、複数の表示ユニット２０２がそれぞれ表示する複数の分割データのそれぞれを、複数の第１通信部２２０のうちのいずれの第１通信部２２０に受信させるかを決定する。具体的には、受信制御部２５０は、複数の第１通信部２２０のうちの第一の第１通信部２２０に、複数の表示領域のうちの第一の表示領域に表示されるべき第一の分割データを受信させる。そして、受信制御部２５０は、複数の第１通信部２２０のうちの第二の第１通信部２２０に、複数の表示領域のうちの第二の表示領域に表示されるべき第二の分割データを受信させる。
【００３３】
具体的には、受信制御部２５０は、デフォルトの状態では複数の第１通信部２２０のそれぞれに分割データをそれぞれ受信させてよい。ここで、複数の第１通信部２２０のうちいずれかの第１通信部２２０から、分割データを受信できない旨を示す情報を受け取った場合を考える。この場合において、受信制御部２５０は、分割データを受信できない第１通信部２２０が受信すべき分割データを、分割データを受信できない第１通信部２２０を除く、他の第１通信部２２０のうちの少なくとも１つに受信させる。
【００３４】
例えば、第一の第１通信部２２０が分割データを受信することができない場合であって、第二の第１通信部２２０が分割データを受信することができる場合には、受信制御部２５０は、第二の第１通信部２２０に、複数の表示領域のうちの第二の表示領域に表示されるべき第二の分割データを受信させるとともに、第一の分割データの少なくとも一部を受信させる。また、受信制御部２５０は、第一の第１通信部２２０および第二の第１通信部２２０を除く他の複数の第１通信部２２０の一部または全部に、第一の分割データの少なくとも一部を受信させてよい。なお、受信制御部２５０は、複数の第１通信部２２０のそれぞれから分割データを受信した旨を示す情報を受け取った場合には、複数の第１通信部２２０のそれぞれにそれぞれが受信すべき分割データを受信させてよい。
【００３５】
複数の第１表示制御部２１０は、複数の第１通信部がそれぞれ受信した分割データを、複数の表示領域にそれぞれ表示させる。具体的には、第一の表示ユニット２０２に対応して設けられている第一の第１表示制御部２１０は、第一の表示ユニット２０２に対応して設けられている第一の第１通信部２２０から受け取った分割データを、第一の表示ユニット２０２に表示させる。同様にして、第二の表示ユニット２０２に対応して設けられている第二の第１表示制御部２１０は、第二の表示ユニット２０２に対応して設けられている第二の第１通信部２２０から受け取った分割データを、第二の表示ユニット２０２に表示させる。また、第一の第１通信部２２０が第一の分割データを受信できない場合には、第二の第１表示制御部２１０は、受信制御部２５０の制御に基づいて、第二の表示ユニット２０２に、第二の分割データを第二の表示領域に表示させるとともに、第一の分割データの少なくとも一部を第一の表示ユニット２０２の第一の表示領域に表示させる。
【００３６】
具体的には、複数の第１表示制御部２１０および複数の表示ユニット２０２はバス２６０に接続されている。なお、複数の表示ユニット２０２は、所定のまとまりごとにバス２６０に接続されていてよい。例えば、第１表示部２００において、複数の表示ユニット２０２は、マトリクス状に配置されていてよい。そして、マトリクスの所定の行および列ごとに、複数の表示ユニット２０２はバス２６０に接続されていてよい。ここで、第一の第１通信部２２０が第一の分割データを所定の時間内に情報処理装置３０から受信できない場合には、分割データを受信できない旨を示す情報が、第一の第１通信部２２０から受信制御部２５０に供給される。
【００３７】
受信制御部２５０は、第一の第１通信部２２０から分割データを受信できない旨を示す情報を受け取った場合には、第一の第１通信部２２０が受信すべき第一の分割データを、第二の第１通信部２２０に受信させることを決定する。そして、第二の第１通信部２２０は、受信制御部２５０の制御に基づいて第二の分割データを受信するとともに、第一の分割データを受信する。第二の分割データおよび第一の分割データを受信した第二の第１通信部２２０は、第二の分割データおよび第一の分割データを第二の第１表示制御部２１０に供給する。第二の第１表示制御部２１０は、第二の分割データを第二の表示ユニット２０２に表示させる。そして、第二の第１表示制御部２１０は、第一の分割データを、バス２６０を介して第一の表示ユニット２０２に表示させる。
【００３８】
なお、受信制御部２５０は、第二の第１通信部２２０および第一の第１通信部２２０を除く他の第１通信部２２０に、第一の分割データの少なくとも一部をそれぞれ受信させてよい。そして、第二の第１通信部２２０および第一の第１通信部２２０を除く他の第１通信部２２０は、それぞれが受信した分割データおよび第一の分割データの少なくとも一部を、それぞれの第１通信部２２０に対応して設けられている第１表示制御部２１０にそれぞれ供給する。そして、それぞれの第１表示制御部２１０はバス２６０を介して、第一の表示ユニット２０２に第一の分割データの一部をそれぞれ供給して表示させてよい。
【００３９】
また、第一の分割データのデータ量が第二の分割データのデータ量よりも予め定められたデータ量以上大きい場合には、第二の第１表示制御部２１０は、第二の表示ユニット２０２に、第二の第１通信部２２０が受信した第二の分割データを第二の表示領域にバス２６０を介して表示させる。さらに、第二の第１表示制御部２１０は、第一の表示ユニット２０２に、第二の第１通信部２２０が受信した第一の分割データの少なくとも一部、および第一の第１通信部２２０が受信した第一の分割データの少なくとも一部以外の部分を第一の表示領域に表示させてもよい。なお、第１表示制御部２１０は、請求項に記載の表示制御部の一例である。
【００４０】
図３は、本実施形態に係る情報処理装置３０の機能構成の一例を示す。情報処理装置３０は、表示装置２０が表示する表示データを表示装置２０が含む複数の表示ユニット２０２の表示領域ごとに分割して、複数の分割データを生成する。情報処理装置３０は、第２表示部３００、第２表示制御部３１０、第２通信部３２０、分割データ生成部３３０、表示データ取得部３４０、表示データ編集制御部３５０、分割データ分配部３６０、編集指示取得部３７０、情報入力部、および表示データ格納部３９０を有する。なお、キーボード３７６およびマウス３７８は、情報入力部の一例である。
【００４１】
第２通信部３２０は、複数の格納ユニット２３０がそれぞれ格納している表示ユニット識別子を、複数の第１通信部２２０からそれぞれ受信する。また、第２通信部３２０は、表示データ識別子を複数の第１通信部２２０のうちの少なくとも１つから受信する。第２通信部３２０は、受信した複数の表示ユニット識別子および表示データ識別子を、表示データ取得部３４０に供給する。表示データ格納部３９０は、表示データ識別子に対応づけて表示データを格納する。表示データ格納部３９０は、表示データ取得部３４０に制御されて、表示データを表示データ取得部３４０に供給する。表示データ取得部３４０は、第２通信部３２０から受け取った表示データ識別子で識別される表示データを、表示データ格納部３９０から取得する。表示データ取得部３４０は、取得した表示データを表示データ編集制御部３５０に供給する。また、表示データ取得部３４０は、取得した表示データおよび第２通信部３２０から受け取った複数の表示ユニット識別子を分割データ生成部３３０に供給する。
【００４２】
情報入力部は、ユーザからの情報の入力を受け付ける。キーボード３７６およびマウス３７８は情報入力部の一例である。情報入力部は、ユーザの表示データの内容に対する編集指示を編集指示取得部３７０に供給する。表示データ編集制御部３５０は、表示装置２０に表示されている表示データの内容へのユーザによる編集を受け付ける。具体的には、表示データ編集制御部３５０は、編集指示取得部３７０から受け取ったユーザの編集指示を、表示データ取得部３４０から受け取った表示データの内容に反映させる。表示データ編集制御部３５０は、表示データの内容を編集した後の表示データを分割データ生成部３３０に供給する。また、表示データ編集制御部３５０は、表示データまたは編集後のデータを第２表示制御部３１０に供給する。第２表示制御部３１０は、表示データ編集制御部３５０から受け取った表示データを第２表示部３００に表示させる。第２表示部３００は、第２表示制御部３１０の制御に基づいて、データを表示する。なお、モニタ３０２は、第２表示部３００の一例である。ユーザは第２表示部３００に表示された表示データを参照して、表示データの内容に編集を施す。
【００４３】
分割データ生成部３３０は、表示データ取得部３４０から受け取った１つの表示データを分割することにより、複数の表示領域がそれぞれ表示する複数の分割データを生成する。分割データ生成部３３０は、生成した複数の分割データを第２通信部３２０、または分割データ分配部３６０に供給する。分割データ分配部３６０は、分割データ生成部３３０から受け取った第一の分割データのデータ量が第二の分割データ量のデータ量よりも予め定められたデータ量以上大きい場合に、第一の分割データを所定の部分分割データに分配する。具体的には、分割データ分配部３６０は、第一の第１通信部２２０に送信するデータ量と、第二の第１通信部２２０に送信するデータ量とを略同一にすべく、第一の分割データを、第一の第１通信部２２０に送信する第一の部分分割データと第二の第１通信部２２０に送信する第二の部分分割データとに分配する。分割データ分配部３６０は、複数の部分分割データを第２通信部３２０に供給する。
【００４４】
第２通信部３２０は、分割データ生成部３３０が生成した複数の分割データのそれぞれを、複数の表示領域のそれぞれに対応して設けられている複数の第１通信部２２０のそれぞれに送信する。なお、第２通信部３２０は、請求項に記載のデータ送信部の一例である。具体的には、第２通信部３２０は、複数の第１通信部２２０のうち第一の第１通信部２２０に、複数の表示領域のうちの第一の表示領域に表示されるべき第一の分割データを送信する。そして、第２通信部３２０は、複数の第１通信部２２０のうちの第二の第１通信部２２０に、複数の表示領域のうちの第二の表示領域に表示されるべき第二の分割データを送信する。
【００４５】
また、第２通信部３２０は、第一の分割データのデータ量が第二の分割データのデータ量より予め定められたデータ量以上大きい場合には、第二の第１通信部２２０に、第二の表示領域に表示されるべき第二の分割データを送信するとともに、第一の分割データの少なくとも一部を第二の第１通信部２２０に送信する。そして、第２通信部３２０は、第一の第１通信部２２０に、第一の分割データのうち、第二の第１通信部２２０に送信した第一の分割データの少なくとも一部以外の部分を送信する。また、第２通信部３２０は、第一の第１通信部２２０に、分割データ分配部３６０から受け取った第一の部分分割データを送信してよい。そして、第２通信部３２０は、第二の第１通信部２２０に、分割データ分配部３６０から受け取った第一の分割データおよび第二の部分分割データを送信する。なお、第２通信部３２０は、周波数分割方式等の多重化方式を用いて分割データ、および部分分割データを送信してよい。
【００４６】
これにより、分割データ生成部３３０が生成した複数の分割データの間でデータ量の差が大きい場合には、データ量の大きい方の分割データの一部のデータを、複数の部分分割データに分配して、複数の表示ユニット２０２に送信するそれぞれの表示データのデータ量を略同一にできるので、複数の表示ユニット２０２は、それぞれが表示すべき表示データを、複数の表示ユニット２０２のそれぞれにおいて略同一のタイミングで更新できる。
【００４７】
本実施形態に係る表示システム１０によれば、１つの表示データを表示装置２０が含む複数の表示ユニット２０２の表示領域ごとに分割して生成した複数の分割データを、複数の表示ユニット２０２のそれぞれに個別に送信して、複数の表示ユニット２０２のそれぞれに分割データを表示させることができる。これにより、表示データを分割せずに表示装置２０に送信して、表示装置２０に１つの表データを表示させる場合に比べて通信速度を向上できる。
【００４８】
図４は、本実施形態に係る表示装置２０が表示データを表示する方法の一例を示す。情報処理装置３０は、表示装置２０が含む複数の表示ユニット２０２に、複数の表示ユニット２０２が表示すべき分割データをそれぞれ送信する。具体的には、情報処理装置３０は、表示装置２０が表示すべき１つの表示データを、表示ユニット２０２ａ、表示ユニット２０２ｂ、および表示ユニット２０２ｃ等の表示領域ごとに分割して複数の分割データを生成する。そして、情報処理装置３０は、生成した分割データのそれぞれを、表示ユニット２０２ａ、表示ユニット２０２ｂ、および表示ユニット２０２ｃ等のそれぞれに送信する。情報処理装置３０は、分割データを送信する場合に、分割データに、当該分割データが表示されるべき表示ユニット２０２を識別する表示ユニット識別子を対応づけて送信してよい。この場合において、情報処理装置３０は、表示ユニット識別子をそれぞれに対応づけた複数の分割データを、複数の第１通信部２２０のそれぞれに送信する。
【００４９】
また、複数の第１通信部２２０は、それぞれ異なる周波数を用いて情報処理装置３０と通信をしてもよい。この場合においては、情報処理装置３０は、複数の第１通信部２２０のそれぞれに予め対応づけられた複数の異なる周波数を用いて、複数の分割データを複数の第１通信部２２０のそれぞれに送信してもよい。
【００５０】
そして、第１通信部２２０はそれぞれ、情報処理装置３０が送信した複数の分割データにそれぞれ対応づけられている表示ユニット識別子を読み取る。第１通信部２２０は、当該第１通信部２２０を識別する表示ユニット識別子が対応づけられている分割データだけを受信して、その他の分割データは受信しない。また、複数の第１通信部２２０が、それぞれ異なる周波数を用いて情報処理装置３０と通信をする場合には、複数の第１通信部２２０はそれぞれ、予め第１通信部２２０に対応づけられている周波数で情報処理装置３０から送信された分割データだけを受信する。
【００５１】
例えば、表示ユニット２０２ａは、第１通信部２２０ａにおいて表示ユニット２０２ａに表示されるべき分割データを受信する。また、表示ユニット２０２ｂは、第１通信部２２０ｂにおいて表示ユニット２０２ｂに表示されるべき分割データを受信する。さらに、表示ユニット２０２ｃは、第１通信部２２０ｃにおいて表示ユニット２０２ｃに表示されるべき分割データを受信する。同様にして、複数の表示ユニット２０２のそれぞれは、複数の表示ユニット２０２のそれぞれに対応して設けられている複数の第１通信部２２０のそれぞれにおいて、複数の表示ユニット２０２のそれぞれに表示されるべき分割データをそれぞれ受信する。
【００５２】
ここで、例えば、表示ユニット２０２ｂに対応して設けられている第１通信部２２０ｂが、第１通信部２２０ｂの故障または通信障害等により情報処理装置３０から分割データを受信できない場合を考える。まず、複数の表示ユニット２０２のそれぞれに対応して設けられている複数の第１通信部２２０（例えば、第１通信部２２０ａおよび第１通信部２２０ｃ等）は、情報処理装置３０から分割データを受信した場合には、受信制御部２５０に分割データを受信した旨を示す情報をそれぞれ供給する。一方、第１通信部２２０ｂは、情報処理装置３０から分割データを予め定められた時間内に受信できない場合に、受信制御部２５０に、分割データを受信できない旨を示す情報を供給する。
【００５３】
受信制御部２５０は、第１通信部２２０ｂから分割データを受信できない旨を示す情報を受け取った場合には、第１通信部２２０ｂが情報処理装置３０から受信すべき分割データを、第１通信部２２０ｂ以外の第１通信部２２０に受信させる旨を決定する。例えば、受信制御部２５０は、第１通信部２２０ｃに、第１通信部２２０ｂが受信すべき分割データを受信させる。あるいは、受信制御部２５０は、第１通信部２２０ｂを除く他の第１通信部２２０のそれぞれに、第１通信部２２０ｂが受信すべき分割データの少なくとも一部をそれぞれ受信させてもよい。そして、第１通信部２２０ｂが受信すべき分割データを受信した第１通信部２２０ｃは、当該分割データを表示ユニット２０２ｃに対応して設けられている第１表示制御部２１０に供給する。第１通信部２２０ｂが受信すべき分割データを受け取った、表示ユニット２０２ｃに対応して設けられている第１表示制御部２１０は、当該分割データを、バス２６０を介して（矢印６００）、表示ユニット２０２ｂに表示させる。
【００５４】
これにより、表示装置２０の第１表示部２００が含む複数の表示ユニット２０２に対応する複数の第１通信部２２０の一部と情報処理装置３０との通信ができなくなった場合でも、通信ができなくなった一部の第１通信部２２０を除く他の第１通信部２２０が、通信ができなくなった一部の第１通信部２２０が受信すべき分割データを代わりに受信できる。したがって、本実施形態に係る表示システム１０は、表示装置２０に、所定の表示データを確実に表示させることができる。
【００５５】
また、受信制御部２５０が、第１通信部２２０ｂを除く他の第１通信部２２０のそれぞれに、第１通信部２２０ｂが受信すべき分割データの少なくとも一部をそれぞれ受信させた場合には、第１通信部２２０ｂを除く他の第１通信部２２０のそれぞれが、第１通信部２２０ｂにおいて受信されるべき分割データの少なくとも一部をそれぞれ受信する。そして、第１通信部２２０ｂを除く他の第１通信部２２０のそれぞれは、受信した分割データの一部を、第１通信部２２０ｂを除く他の第１通信部２２０のそれぞれに接続されている第１表示制御部２１０にそれぞれ供給する。続いて、第１通信部２２０ｂに接続されている第１表示制御部２１０を除く複数の第１表示制御部２１０は、表示ユニット２０２ｂに、受け取った分割データの一部を、それぞれバス２６０を介して供給する。そして、第１通信部２２０ｂに接続されている第１表示制御部２１０を除く複数の第１表示制御部２１０は、表示ユニット２０２ｂが表示すべき分割データを、表示ユニット２０２ｂに表示させてもよい。
【００５６】
図５は、本実施形態に係る表示装置２０が表示データを表示する方法の一例を示す。情報処理装置３０が有する分割データ生成部３３０は、表示装置２０が表示する１つの表示データ５００を、複数の表示ユニット２０２の表示領域ごとに分割して、複数の分割データ（例えば、分割データ５０２、分割データ５０４、および分割データ５０６等）を生成する。この場合において、複数の分割データのうち、第一の分割データのデータ量が第二の分割データのデータ量より予め定められたデータ量以上大きい場合には、分割データ分配部３６０は、複数の第１通信部２２０における通信トラフィックが略同一となることを目的として、第一の分割データを、複数の部分分割データに分配する。そして、第２通信部３２０は、複数の部分分割データを、複数の第１通信部２２０における通信トラフィックが略同一となるように送信する。
【００５７】
例えば、分割データ生成部３３０が表示データ５００を分割することにより生成した複数の分割データのうち、分割データ５０６のデータ量が分割データ５０４のデータ量より予め定められたデータ量以上大きい場合を考える。係る場合において、分割データ分配部３６０は、分割データ５０６を複数の部分分割データ、例えば、部分分割データ５０８および部分分割データ５１０に分配する。すなわち、分割データ分配部３６０は、分割データ５０４のデータ量と部分分割データ５０８のデータ量との合計のデータ量と、部分分割データ５１０のデータ量とが略同一のデータ量となるべく、分割データ５０６を分配する。そして、第２通信部３２０は、第１通信部２２０ｂに分割データ５０４および部分分割データ５０８を送信する。さらに、第２通信部３２０は、第１通信部２２０ｃに部分分割データ５１０を送信する。なお、分割データ分配部３６０は、分割データを２以上の部分分割データに分配してもよい。係る場合には、第２通信部３２０は、複数の部分分割データを、複数の第１通信部２２０にそれぞれ送信してもよい。
【００５８】
そして、分割データ５０４および部分分割データ５０８を受信した第１通信部２２０ｂは、表示ユニット２０２ｂに対応して設けられている第１表示制御部２１０に、分割データ５０４および部分分割データ５０８を供給する。表示ユニット２０２ｂに対応して設けられている第１表示制御部２１０は、分割データ５０４を表示ユニット２０２ｂに表示させる。また、表示ユニット２０２ｂに対応して設けられている第１表示制御部２１０は、部分分割データ５０８を、バス２６０を介して（矢印６１０）、表示ユニット２０２ｃに表示させる。また、部分分割データ５１０を受信した第１通信部２２０ｃは、部分分割データ５１０を表示ユニット２０２ｃに対応する第１表示制御部２１０に供給する。表示ユニット２０２ｃに対応する第１表示制御部２１０は、部分分割データ５１０を、バス２６０を介して、表示ユニット２０２ｃに表示させる。
【００５９】
図６は、本実施形態に係る表示システム１０のハードウェア構成の一例を示す。本実施形態に係る表示システム１０は、ホスト・コントローラ１５８２により相互に接続されるＣＰＵ１５０５、ＲＡＭ１５２０、グラフィック・コントローラ１５７５、および表示装置１５８０を有するＣＰＵ周辺部と、入出力コントローラ１５８４によりホスト・コントローラ１５８２に接続される通信インターフェイス１５３０、ハードディスクドライブ１５４０、およびＣＤ−ＲＯＭドライブ１５６０を有する入出力部と、入出力コントローラ１５８４に接続されるＲＯＭ１５１０、フレキシブルディスク・ドライブ１５５０、および入出力チップ１５７０を有するレガシー入出力部とを備える。
【００６０】
ホスト・コントローラ１５８２は、ＲＡＭ１５２０と、高い転送レートでＲＡＭ１５２０をアクセスするＣＰＵ１５０５およびグラフィック・コントローラ１５７５とを接続する。ＣＰＵ１５０５は、ＲＯＭ１５１０およびＲＡＭ１５２０に格納されたプログラムに基づいて動作して、各部を制御する。グラフィック・コントローラ１５７５は、ＣＰＵ１５０５等がＲＡＭ１５２０内に設けたフレーム・バッファ上に生成する画像データを取得して、表示装置１５８０上に表示させる。これに代えて、グラフィック・コントローラ１５７５は、ＣＰＵ１５０５等が生成する画像データを格納するフレーム・バッファを、内部に含んでもよい。
【００６１】
入出力コントローラ１５８４は、ホスト・コントローラ１５８２と、比較的高速な入出力装置である通信インターフェイス１５３０、ハードディスクドライブ１５４０、ＣＤ−ＲＯＭドライブ１５６０を接続する。通信インターフェイス１５３０は、ネットワークを介して他の装置と通信する。ハードディスクドライブ１５４０は、表示システム１０内のＣＰＵ１５０５が使用するプログラムおよびデータを格納する。ＣＤ−ＲＯＭドライブ１５６０は、ＣＤ−ＲＯＭ１５９５からプログラムまたはデータを読み取り、ＲＡＭ１５２０を介してハードディスクドライブ１５４０に提供する。
【００６２】
また、入出力コントローラ１５８４には、ＲＯＭ１５１０と、フレキシブルディスク・ドライブ１５５０、および入出力チップ１５７０の比較的低速な入出力装置とが接続される。ＲＯＭ１５１０は、表示システム１０が起動時に実行するブート・プログラム、表示システム１０のハードウェアに依存するプログラム等を格納する。フレキシブルディスク・ドライブ１５５０は、フレキシブルディスク１５９０からプログラムまたはデータを読み取り、ＲＡＭ１５２０を介してハードディスクドライブ１５４０に提供する。入出力チップ１５７０は、フレキシブルディスク・ドライブ１５５０、例えばパラレル・ポート、シリアル・ポート、キーボード・ポート、マウス・ポート等を介して各種の入出力装置を接続する。
【００６３】
ＲＡＭ１５２０を介してハードディスクドライブ１５４０に提供される表示プログラムは、フレキシブルディスク１５９０、ＣＤ−ＲＯＭ１５９５、またはＩＣカード等の記録媒体に格納されて利用者によって提供される。表示プログラムは、記録媒体から読み出され、ＲＡＭ１５２０を介して表示システム１０内のハードディスクドライブ１５４０にインストールされ、ＣＰＵ１５０５において実行される。表示システム１０にインストールされて実行される表示プログラムは、ＣＰＵ１５０５等に働きかけて、表示システム１０を、図１から図５にかけて説明した第１表示部２００、複数の表示ユニット２０２、複数の第１表示制御部２１０、複数の第１通信部２２０、複数の格納ユニット２３０、給電部２４０、受信制御部２５０、バス２６０、第２表示部３００、第２表示制御部３１０、第２通信部３２０、分割データ生成部３３０、表示データ取得部３４０、表示データ編集制御部３５０、分割データ分配部３６０、編集指示取得部３７０、情報入力部、表示データ格納部３９０、電力供給部４００、および電力供給制御部４１０として機能させる。
【００６４】
以上、本発明を実施の形態を用いて説明したが、本発明の技術的範囲は上記実施の形態に記載の範囲には限定されない。上記実施の形態に、多様な変更または改良を加え得ることが当業者に明らかである。その様な変更または改良を加えた形態も本発明の技術的範囲に含まれ得ることが、特許請求の範囲の記載から明らかである。
【図面の簡単な説明】
【００６５】
【図１】表示システム１０の概要図である。
【図２】表示装置２０および給電装置４０の機能構成を示すブロック図である。
【図３】情報処理装置３０の機能構成を示すブロック図である。
【図４】表示装置２０が表示データを表示する方法を示す図である。
【図５】表示装置２０が表示データを表示する方法を示す図である。
【図６】表示システム１０のハードウェア構成を示すブロック図である。
【符号の説明】
【００６６】
１０  表示システム
２０  表示装置
３０  情報処理装置
４０  給電装置
５０  机
５２  本棚
２００  第１表示部
２０２  表示ユニット
２１０  第１表示制御部
２２０  第１通信部
２３０  格納ユニット
２４０  給電部
２５０  受信制御部
２６０  バス
３００  第２表示部
３０２  モニタ
３１０  第２表示制御部
３２０  第２通信部
３２２  アンテナ
３３０  分割データ生成部
３４０  表示データ取得部
３５０  表示データ編集制御部
３６０  分割データ分配部
３７０  編集指示取得部
３７６  キーボード
３７８  マウス
４００  電力供給部
４１０  電力供給制御部
５００  表示データ
５０２、５０４、５０６  分割データ
５０８、５１０  部分分割データ
６００、６１０  矢印
１５０５  ＣＰＵ
１５１０  ＲＯＭ
１５２０  ＲＡＭ
１５３０  通信インターフェイス
１５４０  ハードディスクドライブ
１５５０  フレキシブルディスク・ドライブ
１５６０  ＣＤ−ＲＯＭドライブ
１５７０  入出力チップ
１５７５  グラフィック・コントローラ
１５８０  表示装置
１５８２  ホスト・コントローラ
１５８４  入出力コントローラ
１５９０  フレキシブルディスク
１５９５  ＣＤ−ＲＯＭ
【図１】
2007304292.tif 000003
【図２】
2007304292.tif 000004
【図３】
2007304292.tif 000005
【図４】
2007304292.tif 000006
【図５】
2007304292.tif 000007
【図６】
2007304292.tif 000008